【手続補正書】
【提出日】平成22年2月9日(2010.2.9)
【手続補正１】
【補正対象書類名】特許請求の範囲
【補正対象項目名】全文
【補正方法】変更
【補正の内容】
【特許請求の範囲】
【請求項１】
波長λ１および波長λ２（λ１＜λ２）の２つの光を入射させて用い、
周期的凹凸状の格子を表面に形成した透明基板と、前記格子の凹凸部に充填された充填部材と、を備え、
前記凹凸部を形成する凹凸部材または前記充填部材のいずれかが前記波長λ１よりも短い波長域に光の吸収端を有する材料を含んで、前記波長λ１の光に対する屈折率が前記波長λ２の光の屈折率より高く、
かつ前記凹凸部材と前記充填部材とは、前記波長λ１の光または前記波長λ２の光のいずれか一方の波長の光に対しては同じ屈折率を有しこの一方の波長の光を回折せず透過し、他方の波長の光に対しては異なる屈折率を有しこの他方の波長の光を回折することを特徴とする波長選択性回折素子。
【請求項２】
前記波長λ１の光は回折せず透過し前記波長λ２の光を回折する請求項１記載の波長選択性回折素子と、前記波長λ２の光は回折せず透過し前記波長λ１の光を回折する請求項１記載の波長選択性回折素子とを備え、これら波長選択性回折素子が積層されて構成されている波長選択性回折素子。
【請求項３】
前記凹凸部または前記充填部材のいずれかが有機物顔料を含み、
前記有機物顔料として赤色有機物顔料を用いる請求項１または２記載の波長選択性回折素子。
【請求項４】
波長λ１および波長λ２の２つの光を出射する光源と、前記２つの光を光記録媒体に集光する対物レンズと、前記２つの光の光記録媒体からの反射光を検出する光検出器と、を備え、
前記光源と前記対物レンズとの間の光路中に、請求項１、２または３記載の波長選択性回折素子が設置されていることを特徴とする光ヘッド装置。
【手続補正２】
【補正対象書類名】明細書
【補正対象項目名】００３１
【補正方法】変更
【補正の内容】
【００３１】
本発明は、波長λ１および波長λ２（λ１＜λ２）の２つの光を入射させて用い、周期的凹凸状の格子を表面に形成した透明基板と、前記格子の凹凸部に充填された充填部材と、を備え、前記凹凸部を形成する凹凸部材または前記充填部材のいずれかが前記波長λ１よりも短い波長域に光の吸収端を有する材料を含んで、前記波長λ１の光に対する屈折率が前記波長λ２の光の屈折率より高く、かつ前記凹凸部材と前記充填部材とは、前記波長λ１の光または前記波長λ２の光のいずれか一方の波長の光に対しては同じ屈折率を有しこの一方の波長の光を回折せず透過し、他方の波長の光に対しては異なる屈折率を有しこの他方の波長の光を回折することを特徴とする波長選択性回折素子を提供する。
【手続補正３】
【補正対象書類名】明細書
【補正対象項目名】００３２
【補正方法】変更
【補正の内容】
【００３２】
また、波長λ１および波長λ２の２つの光を出射する光源と、前記２つの光を光記録媒体に集光する対物レンズと、前記２つの光の光記録媒体からの反射光を検出する光検出器と、を備え、前記光源と前記対物レンズとの間の光路中に、上記の波長選択性回折素子が設置されていることを特徴とする光ヘッド装置を提供する。
【手続補正４】
【補正対象書類名】明細書
【補正対象項目名】００３５
【補正方法】変更
【補正の内容】
【００３５】
【図１】本発明の波長選択性回折素子の第１の態様を示す図で、（ａ）波長λ１の光が入射したときの様子を示す側面図、（ｂ）波長λ２の光が入射したときの様子を示す側面図。
【図２】本発明の波長選択性回折素子の第２の態様を示す図で、（ａ）波長λ１の光が入射したときの様子を示す側面図、（ｂ）波長λ２の光が入射したときの様子を示す側面図。
【図３】本発明の波長選択性回折素子の第３の態様を示す図で、図１と図２の波長選択性回折素子を積層した波長選択性回折素子であり、（ａ）波長λ１の光が入射したときの様子を示す側面図、（ｂ）波長λ２の光が入射したときの様子を示す側面図。
【図４】本発明の波長選択性回折素子の第４の態様を示す図で、図１と図２の波長選択性回折素子を積層した波長選択性回折素子であり、（ａ）波長λ１の光が入射したときの様子を示す側面図、（ｂ）波長λ２の光が入射したときの様子を示す側面図。
【図５】本発明の波長選択性回折素子の第５の態様を示す図で、図３の波長選択性回折素子に位相板を組み合わせた波長選択性回折素子であり、（ａ）波長λ１の光が入射したときの様子を示す側面図、（ｂ）波長λ２の光が入射したときの様子を示す側面図。
【図６】本発明の波長選択性回折素子の第６の態様を示す図で、図４の波長選択性回折素子に位相板を組み合わせた波長選択性回折素子であり、（ａ）波長λ１の光が入射したときの様子を示す側面図、（ｂ）波長λ２の光が入射したときの様子を示す側面図。
【図７】本発明の波長選択性回折素子の第７の態様を示す図で、図３の波長選択性回折素子に位相板を組み合わせた波長選択性回折素子であり、（ａ）波長λ１の光が入射したときの様子を示す側面図、（ｂ）波長λ２の光が入射したときの様子を示す側面図。
【図８】本発明の光ヘッド装置の第１の態様を示す概略的側面図。
【図９】従来の光ヘッド装置の一つの例を示す概略的側面図。
【図１０】本発明の光ヘッド装置の第２の態様を示す概略的側面図。
【図１１】従来の光ヘッド装置の他の例を示す図で、（ａ）波長λ１の光が回折される様子を示す概略的側面図、（ｂ）波長λ２の光が回折される様子を示す概略的側面図。
【図１２】従来の波長選択性回折素子の一つの例を示す図で、（ａ）、（ｂ）断面図。
【図１３】従来の光ヘッド装置の別の例を示す図で、（ａ）波長λ１の光で記録、再生が行われている様子を示す概略的側面図、（ｂ）波長λ２の光で記録、再生が行われている様子を示す概略的側面図。
【図１４】従来の波長選択性回折素子の他の例を示す図で、（ａ）、（ｂ）断面図。
【図１５】従来の光ヘッド装置のさらに別の例を示す図で、（ａ）波長λ１の光で記録、再生が行われている様子を示す概略的側面図、（ｂ）波長λ２の光で記録、再生が行われている様子を示す概略的側面図。
【図１６】本発明の波長選択性回折素子の第８の態様を示す図で、（ａ）波長λ１の光が入射したときの様子を示す側面図、（ｂ）波長λ２の光が透過、回折される様子を示す側面図。
【図１７】本発明の光ヘッド装置の第３の態様を示す図で、（ａ）波長λ１の光で記録、再生が行われている様子を示す概略的側面図、（ｂ）波長λ２の光で記録、再生が行われている様子を示す概略的側面図。
【図１８】本発明の波長選択性回折素子の第９の態様を示す図で、（ａ）波長λ１の光が入射したときの様子を示す側面図、（ｂ）波長λ２の光が回折される様子を示す側面図。
【図１９】本発明の光ヘッド装置の第４の態様を示す図で、（ａ）波長λ１の光で記録、再生が行われている様子を示す概略的側面図、（ｂ）波長λ２の光で記録、再生が行われている様子を示す概略的側面図。
【手続補正５】
【補正対象書類名】明細書
【補正対象項目名】００４１
【補正方法】変更
【補正の内容】
【００４１】
上記において、回折格子１２Ａに有機物顔料が含まれているとしたが、充填部材１３Ａに有機物顔料が含まれているとしても、同様である。
有機物顔料は分子骨格や置換基を変えることにより、容易に波長分散（屈折率の波長依存性）を変えることができる点で優れている。さらに、有機物顔料は染料などと異なり、耐熱性、耐照射性などが優れていて耐久性がある。
【手続補正６】
【補正対象書類名】明細書
【補正対象項目名】００４３
【補正方法】変更
【補正の内容】
【００４３】
「波長選択性回折素子の第２の実施態様」
図２に示す本実施態様の波長選択性回折素子１Ｂは、凹凸部材からなる回折格子１２Ｂを表面に形成している透明基板と、その間に充填される充填部材１３Ｂとを備える回折素子である。波長λ１の光に対しては回折格子１２Ｂと充填部材１３Ｂの屈折率が異なり（図２（ａ））、波長λ２の光に対しては回折格子１２Ｂと充填部材１３Ｂの屈折率が等しい（図２（ｂ））。１１Ｂ、１４Ｂなど１１Ａ、１４Ａとはアルファベットは異なっているが、同じ数字のものは図１と同じ構成要素を示し、透明基板である。
【手続補正７】
【補正対象書類名】明細書
【補正対象項目名】００５０
【補正方法】変更
【補正の内容】
【００５０】
第４の実施態様において、有機物顔料は回折格子１２Ｄおよび１４Ｄに含ませるか、または充填部材１３Ｄに含ませる。図４（ａ）に示す波長選択性回折素子１Ｄの場合、波長λ１の光は回折格子１４Ｄで回折され、回折格子１２Ｄを回折せず透過して、１４Ｄのみが回折格子として作用する。一方、図４（ｂ）に示す波長選択性回折素子１Ｄの場合、波長λ２の光は回折格子１４Ｄを透過し、回折格子１２Ｄで回折され、１２Ｄのみが回折格子として作用する。
したがって、本実施態様においても、ひとつの複合化された素子で２種の波長に対して、それぞれ独立に回折素子として機能する。